(57)【要約】【課題】薄型化を実現できるコード収納装置を提供する。【解決手段】コード収納装置１は、端子部３２と、巻き部１１と、引出部６とを備える。端子部３２には、電源電圧が印加され、巻き部１１には、電源電圧に基づく電力を光源２０２に供給するコード５が巻かれ、引出部６は、コード５が引き出されるように形成されている。平面視において、巻き部１１は、端子部３２及び引出部６のうち少なくとも１つと異なる位置に配置される。引出部６は、コード５を固定する固定部１８と、開口部２４とを含み、コード５は開口部２４を通して引き出される。平面視において、巻き部１１は、端子部３２、固定部１８、及び開口部２４のうち少なくとも１つと異なる位置に配置される。【選択図】図５
2015210839.tif 000002
【特許請求の範囲】
【請求項１】
電源電圧が印加される端子部と、
前記電源電圧に基づく電力を光源に供給するコードが巻かれる巻き部と、
前記コードが引き出されるように形成されている引出部と
を備え、
平面視において、前記巻き部は、前記端子部及び前記引出部のうち少なくとも１つと異なる位置に配置される、コード収納装置。
【請求項２】
前記引出部は、前記コードを固定する固定部と、開口部とを含み、
前記コードは前記開口部を通して引き出され、
平面視において、前記巻き部は、前記端子部、前記固定部、及び前記開口部のうち少なくとも１つと異なる位置に配置される、請求項１に記載のコード収納装置。
【請求項３】
前記端子部と前記固定部と前記開口部とは直線上に配置され、
平面視において、前記巻き部は、前記端子部、前記固定部、及び前記開口部と異なる位置に配置される、請求項２に記載のコード収納装置。
【請求項４】
前記コードを介して前記光源に前記電力を供給する電源部をさらに備える、請求項１から請求項３のいずれか１項に記載のコード収納装置。
【請求項５】
前記電源部を収納する筐体をさらに備え、
前記巻き部は、前記筐体の外下面に設けられる、請求項４に記載のコード収納装置。
【請求項６】
導電部を有する配線ダクトに結合可能な結合部をさらに備え、
前記端子部は、前記結合部が前記配線ダクトに結合されたときに前記導電部に接触し、前記端子部には、前記導電部から前記電源電圧が印加される、請求項１から請求項５のいずれか１項に記載のコード収納装置。
【発明の詳細な説明】
【技術分野】
【０００１】
本発明は、照明器具に接続されるコードを収納するコード収納装置に関する。
【背景技術】
【０００２】
特許文献１に記載された調整装置は、照明器具を吊り下げるコードの長さを調整する。調整装置は、天井に固定された配線ダクトに装着され、調整装置から引き出されたコードによって照明器具が吊り下げられる。
【０００３】
調整装置は、一対の接続刃を有するプラグ部材、コードを収納する収納ケース、ロック操作リング、及び留め環を備える。ロック操作リングの操作に応じて、留め環が、収納ケースからのコードの出し入れを可能又は不能にする。その結果、ロック操作リングの操作によって、コードの長さを調整できる。
【先行技術文献】
【特許文献】
【０００４】
【特許文献１】特開２００６−２９４３４５号公報
【発明の概要】
【発明が解決しようとする課題】
【０００５】
しかしながら、特許文献１に記載された調整装置には、次のような課題があった。すなわち、収納ケースは天井から鉛直方向に沿って延びる円筒状であるため、調整装置の鉛直方向に沿った長さが長くなる。加えて、プラグ部材と収納ケースと留め環とは、鉛直方向に沿った一直線上に配置される。従って、プラグ部材の長さと収納ケースの長さと留め環の長さとが加算され、調整装置の鉛直方向に沿った長さがさらに長くなる。その結果、調整装置の天井からの突出量が大きくなり、調整装置と天井との一体感が損なわれる。
【０００６】
本発明は上記課題に鑑みてなされたものであり、その目的は、薄型化を実現できるコード収納装置を提供することにある。
【課題を解決するための手段】
【０００７】
本願に開示するコード収納装置は、端子部と、巻き部と、引出部とを備える。端子部には、電源電圧が印加され、巻き部には、前記電源電圧に基づく電力を光源に供給するコードが巻かれ、引出部は、前記コードが引き出されるように形成されている。平面視において、前記巻き部は、前記端子部及び前記引出部のうち少なくとも１つと異なる位置に配置される。
【０００８】
本願に開示するコード収納装置において、前記引出部は、前記コードを固定する固定部と、開口部とを含み、前記コードは前記開口部を通して引き出されることが好ましい。平面視において、前記巻き部は、前記端子部、前記固定部、及び前記開口部のうち少なくとも１つと異なる位置に配置されることが好ましい。
【０００９】
本願に開示するコード収納装置において、前記端子部と前記固定部と前記開口部とは直線上に配置されることが好ましい。平面視において、前記巻き部は、前記端子部、前記固定部、及び前記開口部と異なる位置に配置されることが好ましい。
【００１０】
本願に開示するコード収納装置は、前記コードを介して前記光源に前記電力を供給する電源部をさらに備えることが好ましい。
【００１１】
本願に開示するコード収納装置は、前記電源部を収納する筐体をさらに備えることが好ましい。前記巻き部は、前記筐体の外下面に設けられることが好ましい。
【００１２】
本願に開示するコード収納装置は、導電部を有する配線ダクトに結合可能な結合部をさらに備えることが好ましい。前記端子部は、前記結合部が前記配線ダクトに結合されたときに前記導電部に接触し、前記端子部には、前記導電部から前記電源電圧が印加されることが好ましい。
【発明の効果】
【００１３】
本発明によれば、コード収納装置の薄型化を実現できる。
【図面の簡単な説明】
【００１４】
【図１】本発明の実施形態に係るコード収納装置を下側から見た斜視図である。
【図２】本発明の実施形態に係るコード収納装置の筐体からカバーを取り外した状態を示す斜視図である。
【図３】本発明の実施形態に係るコード収納装置の巻き部からコードを解いた状態を示す斜視図である。
【図４】本発明の実施形態に係るコード収納装置を上側から見た斜視図である。
【図５】本発明の実施形態に係るコード収納装置の平面図である。
【図６】図５のＶＩ−ＶＩ線に沿った断面図である。
【発明を実施するための形態】
【００１５】
以下、本発明の実施形態について、図面を参照しながら説明する。なお、図中、同一または相当部分については同一の参照符号を付して説明を繰り返さない。
【００１６】
図１は、本発明の実施形態に係るコード収納装置１を下側から見た斜視図である。コード収納装置１は、天井等に固定された配線ダクト１００に装着され、コード５を収納する。本実施形態では、Ｘ軸及びＹ軸は水平方向に沿っており、Ｚ軸は鉛直方向に沿っており、Ｘ軸、Ｙ軸、及びＺ軸は互いに直交する。Ｙ軸は、配線ダクト１００の長手方向に沿っている。
【００１７】
コード収納装置１は、筐体３Ａ、カバー３Ｂ、及び引出部６を備える。筐体３Ａは、鉛直方向に交差する方向に延びる。カバー３Ｂは、筐体３Ａの下部に装着され、鉛直方向に交差する方向に延びる。本明細書において、鉛直方向に交差する方向は、鉛直方向に対して直交する方向（水平方向）でもよいし、鉛直方向に対して傾斜する方向でもよいが、本実施形態では、鉛直方向に交差する方向は、水平方向であり、配線ダクト１００の長手方向を示す。
【００１８】
引出部６は、コード５が引き出されるように形成されている。コード収納装置１に収納されたコード５は、引出部６から引き出され、照明器具２００に接続される。照明器具２００は光源２０２を含む。コード５は、配線ダクト１００から印加される電源電圧に基づく電力を光源２０２に供給する。
【００１９】
配線ダクト１００は、長尺状であり、一対の導電部１０２、一対の凹部１０４、及び開口部１０６を含む。一対の導電部１０２、一対の凹部１０４、及び開口部１０６は、それぞれ、配線ダクト１００の長手方向に沿って延びる。一対の導電部１０２には、光源２０２に電力を供給するための電源電圧が印加される。
【００２０】
図２は、筐体３Ａからカバー３Ｂを外した状態を示す。コード収納装置１は、コード５が巻かれる巻き部１１をさらに備える。巻き部１１へのコード５の巻き方は任意である。巻き部１１は、鉛直方向に交差する方向に沿って引出部６から離れた位置に配置される。引出部６と巻き部１１とが、鉛直方向に沿った一直線上に配置されず、鉛直方向に交差する方向に並んで配置されるため、コード収納装置１を薄型化できる。コード収納装置１の薄型化とは、配線ダクト１００に装着されたコード収納装置１の鉛直方向に沿った厚みを薄くすることである。
【００２１】
図３は、巻き部１１からコード５を解いた状態を示す斜視図である。なお、図３では、図面の簡略化のためカバー３Ｂの記載を省略している。巻き部１１は、筐体３Ａの外下面２２に設けられる。巻き部１１は、板状のストッパー１３及び板状のコア２５を含む。コア２５は、外下面２２から垂直方向に延びる。ストッパー１３は、外下面２２に沿っており、コア２５の先端縁に固定される。コード５は、外下面２２に形成された開口部２７から延びており、コア２５に巻かれる。ストッパー１３は、コア２５に巻かれたコード５がコア２５から外れることを防止する。
【００２２】
導入部４は、筐体３Ａの外下面２２に形成され、巻き部１１に向かって開口した開口部２８を含む。引出部６は、コード５を固定する固定部１８、及び開口部２４を含む。固定部１８は、クランプナット７、円筒状のコードクランプ１９、及びナット２１を含む。開口部２４は、導入部４に形成され、鉛直下方に向かって開口している。コア２５に巻かれたコード５は、導入部４を介して引出部６の開口部２４から引き出される。
【００２３】
固定部１８、開口部２４、及び巻き部１１の配置について説明する。巻き部１１は、鉛直方向に交差する方向に沿って固定部１８及び開口部２４から離れた位置に配置される。固定部１８と開口部２４と巻き部１１とが、鉛直方向に沿った一直線上に配置されないため、コード収納装置１を薄型化できる。
【００２４】
図２及び図３に示すように、コードクランプ１９は、開口部２４に挿入され、ナット２１によって導入部４に固定される。図２は、ナット２１が緩んだ状態を示している。コード５は、導入部４の開口部２８を通って、コードクランプ１９に挿通され、導入部４から引き出される。さらに、コード５は、カバー３Ｂに形成された開口部２３及びクランプナット７を通り、コード収納装置１の外部に引き出される。
【００２５】
コードクランプ１９の外表面にはねじ山が形成され、クランプナット７の内表面にはねじ溝が形成される。カバー３Ｂを介してクランプナット７をコードクランプ１９に螺合させ、コードクランプ１９を締め付ける。その結果、図１に示すように、コードクランプ１９がコード５を締め付け、コード５が固定される。また、カバー３Ｂは巻き部１１を覆う。そして、クランプナット７がカバー３Ｂを筐体３Ａに押し付け、カバー３Ｂが筐体３Ａに装着される。巻き部１１がカバー３Ｂによって覆われるため、巻き部１１を保護できる。
【００２６】
クランプナット７を緩めてクランプナット７をコードクランプ１９から外すことにより、コードクランプ１９が緩む。従って、巻き部１１に巻かれたコード５を所望の長さだけ解いて、コード５を所望の長さだけ引き出したり、コード５を所望の長さだけ巻き部１１に巻き取ったりできる。そして、再び、クランプナット７によってコードクランプ１９を締め付けて、コードクランプ１９によってコード５を固定する。このように、コード収納装置１から照明器具２００までのコード５の長さを自在に調整できる。
【００２７】
以上、図１〜図３を参照して、コード収納装置１の下面側を説明した。次に、図４を参照して、コード収納装置１の上面側を説明する。図４は、コード収納装置１を上側から見た斜視図である。コード収納装置１は、レバー９及びプラグ部２９をさらに備え、凸部３７を有する。レバー９及びプラグ部２９は、筐体３Ａの外上面３６の一端部に配置される。また、凸部３７は、矩形板状であり、外上面３６に形成され、コード収納装置１の長手方向に沿って延びる。
【００２８】
プラグ部２９は、配線ダクト１００（図１参照）に結合されて、配線ダクト１００から電源電圧を印加される。プラグ部２９は、円柱状の軸体３１、端子部３２、及び結合部３４を含む。
【００２９】
軸体３１は軸線Ａ１の回りに回転可能である。軸体３１にはレバー９が固定される。端子部３２は、結合部３４が配線ダクト１００に結合されたときに配線ダクト１００の導電部１０２（図１参照）に接触し、端子部３２には、導電部１０２から電源電圧が印加される。端子部３２は、軸線Ａ１に沿って配置され、軸体３１に固定される。端子部３２は結合部３４の上方に配置される。端子部３２は一対の端子３３を含む。端子３３の各々は、筐体３Ａの外上面３６に沿って軸体３１の周面から突出する。
【００３０】
結合部３４は配線ダクト１００に結合可能である。結合部３４は、軸線Ａ１に沿って配置され、軸体３１に固定される。結合部３４は一対の結合片３５を含む。結合片３５の各々は、筐体３Ａの外上面３６に沿って軸体３１の周面から突出する。
【００３１】
レバー９が矢印Ｒの示す方向に回転すると、プラグ部２９、つまり、軸体３１、端子部３２、及び結合部３４は軸線Ａ１の回りに回転する。レバー９及びプラグ部２９は９０度だけ回転し、プラグ部２９は、基本姿勢から装着姿勢に変化する。
【００３２】
図４は、基本姿勢のプラグ部２９を示す。基本姿勢は、端子部３２及び結合部３４がコード収納装置１の長手方向に沿う位置にあるときのプラグ部２９の姿勢である。一方、装着姿勢は、端子部３２及び結合部３４がコード収納装置１の長手方向に直交する方向に沿う位置にあるときのプラグ部２９の姿勢である。
【００３３】
プラグ部２９の端子部３２及び巻き部１１の配置について説明する。巻き部１１は、鉛直方向に交差する方向に沿って端子部３２から離れた位置に配置される。端子部３２と巻き部１１とが、鉛直方向に沿った一直線上に配置されず、鉛直方向に交差する方向に並んで配置されるため、コード収納装置１を薄型化できる。
【００３４】
図１及び図４を参照して、プラグ部２９の配線ダクト１００への装着について説明する。基本姿勢のプラグ部２９及び凸部３７を配線ダクト１００の開口部１０６に挿入する。そして、レバー９を矢印Ｒに示す方向へ９０度回転させて、プラグ部２９を装着姿勢に変化させ、プラグ部２９を配線ダクト１００に装着することによって、コード収納装置１は配線ダクト１００に装着される。本実施形態では、プラグ部２９を有するため、コード収納装置１を配線ダクト１００に装着して照明器具２００を吊り下げる場合に好適である。
【００３５】
装着姿勢のプラグ部２９において、一対の結合片３５が配線ダクト１００の一対の凹部１０４に結合すると伴に、一対の端子３３が配線ダクト１００の一対の導電部１０２に接触する。従って、一対の導電部１０２から一対の端子３３に電源電圧が印加される。
【００３６】
以上、図４を参照して、コード収納装置１の上面側を説明した。次に、図５及び図６を参照して、平面視及び断面視において、コード収納装置１について説明する。
【００３７】
図５は、コード収納装置１の平面図である。平面視において、巻き部１１は、端子部３２、引出部６の固定部１８、及び引出部６の開口部２４と異なる位置に配置される。従って、巻き部１１と端子部３２と固定部１８と開口部２４とが鉛直方向に沿った一直線上に配置される場合と比較して、コード収納装置１を薄型化できる。その結果、コード収納装置１を配線ダクト１００に装着したときに、コード収納装置１の天井からの突出量を抑制でき、コード収納装置１と天井との一体感を実現できる。
【００３８】
図６は、図５のＶＩ−ＶＩ線に沿った断面図である。コード収納装置１は電源部４５をさらに備える。電源部４５にはコード５が接続される。図６では、理解の便宜のため、電源部４５及びコード５を破線で示す。電源部４５は、筐体３Ａに収納される。電源部４５と一対の端子３３（端子部３２）とは電線によって接続される。従って、電源部４５には、一対の端子３３から電源電圧が供給される。一対の端子３３は、直線Ａ２に対して、線対称に配置される。本実施形態では、直線Ａ２と軸線Ａ１（図５参照）とは一致する。
【００３９】
コード収納装置１は固定部材４３をさらに備える。固定部材４３は、開口部２７の直上において、コード５を筐体３Ａに固定する。本実施形態では、固定部材４３は結束バンドである。なお、固定部材４３は任意の位置に配置でき、また、複数の固定部材４３を設けてもよい。
【００４０】
固定部材４３を設ける理由の１つは次の通りである。コード５には、照明器具２００の重量による張力に起因した負荷がかかる。そこで、固定部材４３による固定によって、コード５のうち固定部材４３と電源部４５との間の部分にかかる負荷を抑制する。その結果、コード５の破損又は破断を防止できると伴に、コード５と電源部４５との接続部分が外れることを防止できる。
【００４１】
コード５は、開口部２７を通り、巻き部１１に巻かれ、開口部２８を通り、引出部６から引き出される。そして、光源２０２（図１参照）に接続される。電源部４５は、電源電圧に基づいて、コード５を介して光源２０２に電力を供給する。
【００４２】
光源２０２が単数又は複数のＬＥＤ（Ｌｉｇｈｔ  Ｅｍｉｔｔｉｎｇ  Ｄｉｏｄｅ）である場合は、例えば、電源部４５は、変圧を行い、交流電源電圧を直流電源電圧に変換し、調光のために電流値を調整して、光源２０２に電流を供給する。光源２０２が蛍光灯である場合は、例えば、電源部４５は、変圧器及びインバーターを含み、低周波数の電源電圧を高周波数の電源電圧に変換して、交流電源電圧を光源２０２に供給する。光源２０２が白熱電球である場合は、例えば、電源部４５は、変圧を行い、交流電源電圧又は直流電源電圧を光源２０２に供給する。
【００４３】
本実施形態では、筐体３Ａに電源部４５を収納する場合であっても、巻き部１１を、鉛直方向に交差する方向に沿って端子部３２及び引出部６から離れた位置に配置することによって、コード収納装置１を薄型化できる。また、巻き部１１を筐体３Ａの外下面２２に配置することによって、巻き部１１は、鉛直方向に沿って電源部４５と重なり合って配置される。従って、コード収納装置１の薄型化を実現しつつ、コード収納装置１の長手方向に沿った長さが過剰になることを抑制できる。
【００４４】
図６を参照して、コード収納装置１にかかる荷重のバランスについて説明する。電源部４５及び巻き部１１は、鉛直方向に交差する方向に沿って端子部３２、開口部２４、及び固定部１８から離れた位置に配置される。一方、端子部３２と開口部２４と固定部１８とは直線Ａ２上に配置される。従って、コード収納装置１を配線ダクト１００に装着したときにコード収納装置１にかかる荷重のバランスを好適にすることができる。その結果、コード収納装置１の配線ダクト１００への装着を良好に維持できる。
【００４５】
以上、図１〜図６を参照して説明したように、本実施形態によれば、コード収納装置１を薄型化でき、コード収納装置１と天井等との一体感を実現できる。また、巻き部１１は、平面視において、端子部３２、引出部６の固定部１８、及び引出部６の開口部２４と異なる位置に配置される。従って、巻き部１１が、端子部３２、固定部１８、及び開口部２４のうちの１つ又は２つと同じ位置に配置される場合よりも、さらにコード収納装置１を薄型化できる。
【００４６】
また、本実施形態によれば、巻き部１１を鉛直方向に交差する方向に沿って延長又は拡張することによって、つまり、巻き部１１をコード収納装置１の長手方向に沿って延長又は拡張することによって、コード収納装置１の厚みを維持したまま、巻き部１１に巻くことの可能なコード５の長さを長くすることが可能である。従って、巻き部１１に巻くことの可能なコード５の長さを長くしても、コード収納装置１が厚くなることを抑制でき、コード収納装置１と天井との一体感を実現できる。なお、コード収納装置１の厚みは、配線ダクト１００に装着されたコード収納装置１の鉛直方向に沿った厚みを意味する。また、巻き部１１に巻くことの可能なコード５の長さを長くすることは、コード収納装置１に収納可能なコード５の長さを長くすることに相当する。
【００４７】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００４８】
（１）本実施形態では、巻き部１１は、端子部３２、引出部６の固定部１８、及び引出部６の開口部２４と異なる位置に配置されるが、平面視において、巻き部１１は、端子部３２及び引出部６のうち少なくとも１つと異なる位置に配置されてもよい。この場合、巻き部１１と端子部３２と引出部６とが鉛直方向に沿った一直線上に配置される場合と比較して、コード収納装置１を薄型化できる。また、平面視において、巻き部１１は、端子部３２、固定部１８、及び開口部２４のうち少なくとも１つと異なる位置に配置されてもよい。この場合、巻き部１１と端子部３２と固定部１８と開口部２４とが鉛直方向に沿った一直線上に配置される場合と比較して、コード収納装置１を薄型化できる。
【００４９】
（２）本実施形態では、端子部３２、固定部１８、及び開口部２４が直線Ａ２上に配置されるが、端子部３２、固定部１８、及び開口部２４のうち少なくとも２つが直線上に配置されてもよい。また、端子部３２、固定部１８、及び開口部２４が直線上に配置されなくてもよい。なお、端子部３２及び固定部１８の形状及び構成は、特に限定されず、コード収納装置１の仕様に応じて、任意の形状及び構成をとることができる。
【００５０】
（３）本実施形態では、コード収納装置１は、電源部４５を備えるが、電源部４５を備えなくてもよい。また、巻き部１１は、鉛直方向に沿って、電源部４５と重なり合って配置されるが、鉛直方向に交差する方向に沿って、電源部４５と重なり合って配置されてもよい。また、巻き部１１は、筐体３Ａの内部に配置されてもよい。さらに、コード収納装置１は、カバー３Ｂを設けなくてもよい。
【００５１】
（４）本実施形態では、コード収納装置１は、天井に固定された配線ダクト１００に装着されるが、配線ダクト１００に装着することなく、天井に直接固定されてもよい。この場合、例えば、コード収納装置１には、プラグ部２９に代えて、端子部を有する端子台が設けられる。端子部は一対の端子を含む。また、巻き部１１を、プラグ部２９（又は端子台）及び引出部６を設ける筐体と異なる筐体に設けて、２個の筐体を分離して天井に取り付けてもよい。
【００５２】
（５）本実施形態では、巻き部１１のコア２５は板状であるが、コア２５の形状は板状に限定されず、任意の形状でよい。例えば、コア２５は、円筒状、円柱状、角筒状、又は角柱状である。
【産業上の利用可能性】
【００５３】
本発明は、照明器具に接続されるコードを収納するコード収納装置の分野に利用可能である。
【符号の説明】
【００５４】
１    コード収納装置
３Ａ    筐体
３Ｂ    カバー
５    コード
６    引出部
１１    巻き部
１８    固定部
２２    外下面
２４    開口部
３３    端子部
３４    結合部
４５    電源部
１００    配線ダクト
１０２    導電部
２０２    光源
【図１】
2015210839.tif 000003
【図２】
2015210839.tif 000004
【図３】
2015210839.tif 000005
【図４】
2015210839.tif 000006
【図５】
2015210839.tif 000007
【図６】
2015210839.tif 000008